【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
超音波変換器によって複数の焦点を生成するための美的超音波処置システムであって、
振幅変調ポーリング及び位相シフトからなる群のうちの少なくとも１つによって、或る焦点深度の複数の場所において組織に超音波治療を適用するように構成される超音波変換器を備える超音波プローブと、
前記超音波変換器を制御するための前記超音波プローブに結合された制御モジュールと、
を備える、超音波変換器によって複数の焦点を生成するための美的処置システム。
【請求項２】
前記複数の場所は、美容処置ゾーン内で実質的に直線のシーケンスで位置決めされ、前記超音波変換器は、単一超音波変換素子を備える、請求項１に記載の美的処置システム。
【請求項３】
第１のセットの場所は第１の美容処置ゾーン内に位置決めされ、第２のセットの場所は第２の美容処置ゾーン内に位置決めされ、前記第１の美容処置ゾーンは前記第２の美容処置ゾーンと異なる、請求項１又は２に記載の美的処置システム。
【請求項４】
前記超音波変換器は、振幅変調を使用して超音波治療を適用するように構成され、それにより、前記超音波変換器の複数の部分は、音響強度の複数の振幅で超音波治療を放出するように構成され、第１の振幅は第２の振幅と異なる、請求項１〜３のいずれか１項に記載の美的処置システム。
【請求項５】
前記超音波変換器は、圧電材料を含み、前記超音波変換器の前記複数の部分は、前記超音波変換器に印加される電場に応答して複数の対応する圧電材料の変化を生成するように構成される、請求項４に記載の美的処置システム。
【請求項６】
前記複数の圧電材料の変化は、該圧電材料の膨張及び該圧電材料の収縮の少なくとも一方を含む、請求項５に記載の美的処置システム。
【請求項７】
前記超音波変換器の少なくとも１つの部分は、音響強度の２つ以上の振幅で超音波治療を放出するように構成され、前記圧電材料の少なくとも１つの部分によって放出される超音波治療の前記振幅は経時的に変化する、請求項５又は６に記載の美的処置システム。
【請求項８】
前記超音波変換器は、超音波治療位相シフトを適用するように構成され、それにより、前記超音波変換器の複数の部分は、音響強度の複数の位相で超音波治療を放出するように構成され、第１の位相は第２の位相と異なる、請求項１〜３のいずれか１項に記載の美的処置システム。
【請求項９】
前記複数の位相は離散的位相値を含む、請求項８に記載の美的処置システム。
【請求項１０】
前記超音波変換器は、
振幅変調を使用して超音波治療を適用するように構成され、それにより、前記超音波変換器の複数の部分は、音響強度の複数の振幅で超音波治療を放出するように構成され、第１の振幅は第２の振幅と異なり、
超音波治療位相シフトを適用するように構成され、それにより、前記超音波変換器の複数の部分は、音響強度の複数の位相で超音波治療を放出するように構成され、第１の位相は第２の位相と異なる、請求項１〜３のいずれか１項に記載の美的処置システム。
【請求項１１】
前記超音波治療は、フェイスリフト、眉リフト、顎リフト、眼の処置、皺低減、瘢痕低減、熱傷処置、タトゥー除去、皮膚引締め、静脈除去、静脈縮小、汗腺に関する処置、多汗症の処置、日焼けによるしみの除去、脂肪処置、膣若返り、及びニキビ処置のうちの少なくとも１つである、請求項１〜１０のいずれか１項に記載の美的処置システム。
【請求項１２】
超音波変換器によって複数の焦点を生成するための美容処置で使用するための美的処置システムであって、
超音波プローブを備え、該超音波プローブは、
超音波イメージングを提供するため超音波イメージング機能を動作可能に制御する第１のスイッチと、
超音波処置を提供するため超音波処置機能を動作可能に制御する第２のスイッチと、
個々の熱的美容処置ゾーンの少なくとも１つのシーケンスで超音波処置を方向付けるように構成される移動機構と、
振幅変調ポーリング及び位相シフトからなる群のうちの少なくとも１つによって、超音波治療を適用するように構成される変換器モジュールであって、該変換器モジュールは、超音波イメージングと超音波処置の両方のために構成され、該変換器モジュールは、前記超音波プローブに結合するように構成され、該変換器モジュールは、或る焦点深度の複数の場所において組織に超音波治療を適用するように構成される超音波変換器を備え、該変換器モジュールは、前記第１のスイッチ、前記第２のスイッチ、及び前記移動機構の少なくとも１つに動作可能に結合されるように構成される、変換器モジュールと、
制御モジュールと、
を備え、前記制御モジュールは、前記変換器モジュールを制御するためのプロセッサ及びディスプレイを備える、超音波変換器によって複数の焦点を生成するための美容処置で使用するための美的処置システム。
【請求項１３】
前記超音波変換器は、振幅変調を使用して超音波治療を適用するように構成され、それにより、前記変換器モジュールの複数の部分は、音響強度の複数の振幅で超音波治療を放出するように構成され、第１の振幅は第２の振幅と異なる、請求項１２に記載の美的処置システム。
【請求項１４】
前記超音波変換器は、超音波治療位相シフトを適用するように構成され、それにより、前記変換器モジュールの複数の部分は、音響強度の複数の位相で超音波治療を放出するように構成され、第１の位相は第２の位相と異なる、請求項１２に記載の美的処置システム。
【請求項１５】
美的イメージング及び処置システムであって、
超音波変換器を備えるモジュールを備え、
前記超音波変換器は、振幅変調ポーリング及び位相シフトからなる群のうちの少なくとも１つによって、或る焦点深度の複数の場所において組織に超音波治療を適用するように構成され、
前記モジュールは、ハンドワンドに取外し可能に結合して、前記モジュールと前記ハンドワンドとの間で電子通信及び電力を提供するようにデザインされたインターフェースガイドを更に備える、美的イメージング及び処置システム。
【請求項１６】
前記超音波変換器は、振幅変調を使用して超音波治療を適用するように構成され、それにより、前記超音波変換器の複数の部分は、音響強度の複数の振幅で超音波治療を放出するように構成され、第１の振幅は第２の振幅と異なる、請求項１５に記載の美的イメージング及び処置システム。
【請求項１７】
前記超音波変換器は、超音波治療位相シフトを適用するように構成され、それにより、前記超音波変換器の複数の部分は、音響強度の複数の位相で超音波治療を放出するように構成され、第１の位相は第２の位相と異なる、請求項１５に記載の美的イメージング及び処置システム。
【請求項１８】
前記超音波変換器は、圧電材料を含み、前記超音波変換器の前記複数の部分は、前記超音波変換器に印加される電場に応答して複数の対応する圧電材料の変化を生成するように構成される、請求項１６又は１７に記載の美的イメージング及び処置システム。
【請求項１９】
前記超音波変換器の少なくとも１つの部分は、音響強度の２つ以上の振幅で超音波治療を放出するように構成され、前記圧電材料の少なくとも１つの部分によって放出される超音波治療の前記振幅は経時的に変化する、請求項１８に記載の美的イメージング及び処置システム。
【請求項２０】
前記超音波治療は、フェイスリフト、眉リフト、顎リフト、眼の処置、皺低減、瘢痕低減、熱傷処置、タトゥー除去、皮膚引締め、静脈除去、静脈縮小、汗腺に関する処置、多汗症の処置、日焼けによるしみの除去、脂肪処置、膣若返り、及びニキビ処置のうちの少なくとも１つである、請求項１５〜１９のいずれか１項に記載の美的イメージング及び処置システム。
【請求項２１】
単一変換器によって複数の焦点を生成することによって皮膚に対して非侵襲的美容プロシージャを実施する方法（ただし、ヒトを治療するための処置をする方法を除く）であって、
超音波モジュールを超音波プローブに結合することであって、該超音波プローブは、音響イメージングを制御する第１のスイッチを備え、該超音波プローブは、複数の個々の美容処置ゾーンをもたらす、音響治療を制御する第２のスイッチを備え、該超音波プローブは、前記個々の美容処置ゾーンの間に所望の間隔を設ける移動機構を備えることと、
前記超音波モジュールを被検者の皮膚表面と接触させることと、
前記超音波プローブ上の前記第１のスイッチを作動して、前記超音波モジュールによって、前記皮膚表面下の領域を音響的にイメージングすることと、
前記超音波プローブ上の前記第２のスイッチを作動して、前記超音波モジュールによって、前記移動機構によって制御される個々の美容処置ゾーンの所望のシーケンスで前記皮膚表面下の前記領域を音響的に処置することと、
を含み、前記超音波モジュールは、或る焦点深度の複数の場所において組織に超音波治療を適用するように構成される単一超音波変換器を備える、単一変換器によって複数の焦点を生成することによって皮膚に対して非侵襲的美容プロシージャを実施する方法。
【請求項２２】
皮膚の非侵襲的美容処置のための、請求項１〜１４のいずれか１項に記載の美的処置システムの使用。
【請求項２３】
美容プロシージャを実施する非侵襲的方法（ただし、ヒトを治療するための処置をする方法を除く）であって、
超音波モジュールを超音波プローブに結合することであって、該超音波モジュールは、振幅変調ポーリング及び位相シフトからなる群のうちの少なくとも１つによって、或る焦点深度の複数の場所において組織に超音波治療を適用するように構成される超音波変換器を備え、該超音波プローブは、音響イメージングを制御する第１のスイッチを備え、該超音波プローブは、複数の個々の美容処置ゾーンをもたらす、音響治療を制御する第２のスイッチを備え、該超音波プローブは、前記個々の美容処置ゾーンの間に所望の間隔を設ける移動機構を備えることと、
前記超音波モジュールを被検者の皮膚表面と接触させること、
前記超音波プローブ上の前記第１のスイッチを作動して、前記超音波モジュールによって、前記皮膚表面下の領域を音響的にイメージングすることと、
前記超音波プローブ上の前記第２のスイッチを作動して、前記超音波モジュールによって、前記移動機構によって制御される個々の美容処置ゾーンの所望のシーケンスで前記皮膚表面下の前記領域を音響的に処置することと、
を含む、医師によって実施されない美容プロシージャを実施する非侵襲的方法。
【請求項２４】
皮膚の非侵襲的美容処置のための、請求項１５〜２０のいずれか１項に記載の美的イメージング及び処置システムの使用。